(57)【要約】  【課題】  摘み部材の不正操作を確実に阻止できる防犯特性に優れた錠前の提供を目的とする。  【解決手段】  錠前１は、錠箱５から錠部材６を進退させるるものである。錠箱５には摘み部３１と回転軸３２とを有する摘み部材３と、回転軸３２のトルクを受けて錠部材６を動作させる動力伝達部材１６とを有している。動力伝達部材１６は、回転軸３２が係合可能な挿通孔２０を有している。回転軸３２は、動力伝達部材１６の挿通孔２０に対して空転する空転部３６と、挿通孔２０と係合する係合部３５とを有する。錠前１は、摘み部材３を回転軸３２の軸方向に押し込むと挿通孔２０と係合部３５とが係合し施錠あるいは開錠を行える。【選択図】  図２
2005146512.tif 000002
【特許請求の範囲】
【請求項１】
錠箱から施錠片を進退させる錠前において、摘みと回転軸とを有する摘み部材と、回転軸と係合して施錠片にトルクを伝達する動力伝達部材とを有し、動力伝達部材は、前記回転軸が挿通される挿通孔を有し、回転軸は、軸方向の異なる位置に動力伝達部材の挿通孔と係合する係合部と、挿通孔に対して空転する空転部とを有し、常時は動力伝達部材の挿通孔内に回転軸の空転部があり、摘み部材を回転軸の軸方向に摺動させることにより回転軸の係合部が動力伝達部材の挿通孔と係合することを特徴とする錠前。
【請求項２】
錠箱から施錠片を進退させる錠前において、係合部を有する回転軸と、当該回転軸に装着される摘み部材と、当該摘み部材を回転軸から離反する方向に付勢する付勢手段とを有し、前記摘み部材は、回転軸の係合部が係合可能な被係合部を有し、摘み部材を回転軸の軸方向に摺動させることにより被係合部と係合部とが係合することを特徴とする錠前。
【請求項３】
回転軸と、回転軸に対して回転自在に装着され、回転軸の軸方向に摺動自在な摘み部材とを有し、前記回転軸は、先端側に係合部を有し、前記摘み部材の軸方向中途部には前記係合部と係合可能な被係合部が設けられており、摘み部材は、常時は被係合部が回転軸の係合部から離反する方向に付勢されており、摘み部材を回転軸の軸方向に摺動させることにより係合部と被係合部とが係合することを特徴とするサムターン。
【請求項４】
摘みと回転軸とを有する摘み部材と、当該摘み部材の回転軸が挿入される軸挿入部材とを有し、前記摘み部材は、回転軸の周部から突出した突部を有し、前記軸挿入部材は、前記突部を周方向に案内する周案内溝と、突部の周方向への移動を阻止する軸案内溝とからなる規制溝を有し、突部は、常時は軸案内溝内にあり、摘み部材を回転軸の軸方向に摺動することにより周案内溝内に移動することを特徴とするサムターン。
【請求項５】
摘みと回転軸とを有する摘み部材と、当該摘み部材の回転軸が挿入されるガイド部材と、当該ガイド部材に装着される規制部材とを有し、前記摘み部材は、回転軸の周部から突出した突部を備え、前記ガイド部材は、前記突部を周方向に案内する案内溝を備え、規制部材は、ガイド部材に対して摺動可能であり、前記突出部を周方向に案内する周案内溝と、突出部を軸方向に案内する軸案内溝とからなる規制溝とを備え、常時は突部が軸案内溝内にあり、摘み部材を回転軸の軸方向に摺動させることによって突部が周案内溝内に移動し、回転軸側から摘み側に向かう方向に外力を作用させることによって規制部材が摺動し、周案内溝が突部側に移動することを特徴とするサムターン。
【請求項６】
先端に係合部を有する摘み部材と、当該摘み部材の先端に接続される接続軸とを有し、接続軸は前記係合部が係合する被係合部を有し、摘み部材と接続軸との間には、摘み部材を接続軸から離反する方向に付勢する付勢手段が介在していることを特徴とするサムターン。
【請求項７】
施錠片を錠箱から出入りさせるための動作機構を有し、当該動作機構に請求項４乃至７のいずれかに記載のサムターンが接続されていることを特徴とする錠前。
【請求項８】
摘み部材の軸方向への摺動を阻止する摺動阻止部材を具備していることを特徴とする請求項１，２，７のいずれかに記載の錠前。
【請求項９】
摘み部材の周部から軸心方向に延伸した摺動阻止軸を有し、摘み部材が装着される他部材の周部には、摘み部材を軸方向に摺動させた状態において摺動阻止軸が係合可能な係合溝が設けられていることを特徴とする請求項１，２，７のいずれかに記載の錠前。
【発明の詳細な説明】
【技術分野】
【０００１】
本発明は錠前に関するものであり、特に不正開錠を防止可能な錠前に関する。
【背景技術】
【０００２】
従来より、摘み部材を回動させることによりロックボルトを出入りさせ、これにより施錠あるいは開錠を行う錠前が玄関の扉等に採用されている。錠前は、本体部分が扉内に埋め込まれ、扉の側面からデッドボルトを突出・退入可能なように固定されている。錠前を玄関先の扉の施錠に採用する場合は、扉の屋外側に錠前の施錠・開錠を行うためのシリンダー錠を設けると共に、屋内側に摘み部材が取り付けられている。
【０００３】
デッドボルトは、シリンダー錠あるいは摘み部材を回動させることにより扉の側面から出入りするようになっている。扉が固定されている扉枠には、扉の側面から突出したデッドボルトを収納可能な収納部が設けられている。扉は、シリンダー錠や摘み部材を回動させ、デッドボルトを収納部に出入りさせることにより施錠状態あるいは開錠状態になる。
【０００４】
一方、近年ドリル等で扉に穴を空けたり、扉と扉の取り付け枠との隙間から工具等を差し込み、摘み部材を回して不正開錠する、いわゆるサムターン回しという手口で家屋に侵入する犯罪が横行しており、社会的問題となっている。かかる問題を解決すべく、例えば下記特許文献１に示すように扉の摘み部材を囲む位置にサムターンカバーを設けることにより、いわゆるサムターン回しによる不正開錠を防止する方策が提案されている。
【０００５】
また、上記したサムターン回しによる不正開錠を防止すべく、下記特許文献２に示すような摘み部材を具備した錠前がある。特許文献２に開示されている摘み部材は、摘み部分が着脱可能であり、摘み部分を抜いておくことで不正開錠を防止するものである。
【特許文献１】特開２００３−０５６２１８号公報
【特許文献２】特開平１１−２００６７８号公報
【発明の開示】
【発明が解決しようとする課題】
【０００６】
上記特許文献１に開示されているように、摘み部材の周囲にサムターンカバーを設ければ、扉に穴を空けたりして工具等を差し込んでも、その工具が摘み部材に到達し難い。そのため、摘み部材を特許文献１に開示されているようなサムターンカバーで保護すれば、扉の不正開錠を防止することができる。
【０００７】
しかし、上記したようにサムターンカバーを設ける場合、摘み部材の回動操作を行う度にサムターンカバーの蓋体を開ける必要がある。また、サムターンカバーで摘み部材を囲む場合、サムターンカバーで囲まれた領域内に指を入れて摘み部材の操作を行わねばならず、サムターンの操作が少なからず不自由になってしまう。さらに、サムターンカバーを設ける場合は、蓋体を閉じ忘れてしまうとサムターン回しに対する防犯効果が半減してしまうという問題点を有する。また、上記特許文献２のように摘み部材の摘み部分が着脱可能な構成とした場合も、摘み部分を抜き忘れてしまうとサムターン回しによる不正開錠に対する効果が全く発揮できないという問題がある。
【０００８】
そこで、本発明では、摘み部材の不正操作を確実に阻止できる防犯特性に優れた錠前の提供を目的とする。
【課題を解決するための手段】
【０００９】
上記した目的を達成すべく提供される請求項１に記載の発明は、錠箱から施錠片を進退させる錠前において、摘みと回転軸とを有する摘み部材と、回転軸と係合して施錠片にトルクを伝達する動力伝達部材とを有し、動力伝達部材は、前記回転軸が挿通される挿通孔を有し、回転軸は、軸方向の異なる位置に動力伝達部材の挿通孔と係合する係合部と、挿通孔に対して空転する空転部とを有し、常時は動力伝達部材の挿通孔内に回転軸の空転部があり、摘み部材を回転軸の軸方向に摺動させることにより回転軸の係合部が動力伝達部材の挿通孔と係合することを特徴とする錠前である。
【００１０】
本発明の錠前は、常時は動力伝達部材の挿通孔内に回転軸の空転部があるため、摘み部材をただ単に回転させるだけでは摘み部材が空転し、トルクが動力伝達部材に伝達されない。そのため、本発明の錠前は、摘み部材を回すだけでは施錠や開錠を行えない。
【００１１】
本発明の錠前は、摘み部材を回転軸の軸方向に摺動させると、回転軸の係合部が動力伝達部材の挿通孔と係合する。そのため、本発明の錠前は、摘み部材を押し込んでから回転させると動力伝達部材が作動し、施錠や開錠を行える。従って、本発明によれば、サムターン回しと称されるような手口による不正開錠を試みようとして摘み部材をただ単に回転させるだけでは開錠できない、防犯性に優れた錠前を提供できる。
【００１２】
上記請求項１に記載の発明と同様の課題を解決すべく提供される請求項２に記載の発明は、錠箱から施錠片を進退させる錠前において、係合部を有する回転軸と、当該回転軸に装着される摘み部材と、当該摘み部材を回転軸から離反する方向に付勢する付勢手段とを有し、前記摘み部材は、回転軸の係合部が係合可能な被係合部を有し、摘み部材を回転軸の軸方向に摺動させることにより被係合部と係合部とが係合することを特徴とする錠前である。
【００１３】
本発明の錠前は、付勢手段の付勢力によって摘み部材が回転軸から離れた状態となっているため、摘み部材をただ単に回転させるだけではトルクが回転軸に伝わらず、施錠や開錠を行えない。
【００１４】
一方、本発明の錠前では、摘み部材を回転軸側に押し込み、係合部と被係合部とを係合させると摘み部材が回転軸に接続される。そのため、本発明の錠前では、摘み部材を回転軸側に押し込むことによって両者を一体的に回転させることが可能となる。本発明の錠前は、摘み部材を押し込んで回転軸と接続した状態としてはじめて施錠や開錠を行えるようになる。従って、本発明によれば、サムターン回しのように摘み部材をただ単に回転させるだけの手口では不正開錠できない錠前を提供できる。
【００１５】
請求項３に記載の発明は、回転軸と、回転軸に対して回転自在に装着され、回転軸の軸方向に摺動自在な摘み部材とを有し、前記回転軸は、先端側に係合部を有し、前記摘み部材の軸方向中途部には前記係合部と係合可能な被係合部が設けられており、摘み部材は、常時は被係合部が回転軸の係合部から離反する方向に付勢されており、摘み部材を回転軸の軸方向に摺動させることにより係合部と被係合部とが係合することを特徴とするサムターンである。
【００１６】
本発明のサムターンは、摘み部材を回転軸の先端側に摺動させない状態では被係合部が回転軸の係合部から離反しているため、この状態で摘み部材を回動させてもトルクが回転軸に伝わらない構造となっている。そのため、本発明のサムターンは、摘み部材を回動させるだけでは摘み部材が空回りするだけで回転軸は回転しない。
【００１７】
一方、本発明のサムターンは、摘み部材を回転軸の軸方向に摺動させると摘み部材の被係合部と回転軸の係合部とが係合する。そのため、本発明のサムターンは、摘み部材を押し込んだ上で回転させるとこれに連動して回転軸が回転する。従って、本発明によれば、サムターン回しに対する防犯特性に優れたサムターンを提供できる。
【００１８】
請求項４に記載の発明は、摘みと回転軸とを有する摘み部材と、当該摘み部材の回転軸が挿入される軸挿入部材とを有し、前記摘み部材は、回転軸の周部から突出した突部を有し、前記軸挿入部材は、前記突部を周方向に案内する周案内溝と、突部の周方向への移動を阻止する軸案内溝とからなる規制溝を有し、突部は、常時は軸案内溝内にあり、摘み部材を回転軸の軸方向に摺動することにより周案内溝内に移動することを特徴とするサムターンである。
【００１９】
本発明のサムターンは、常時は回転軸の突部が軸案内溝内にあるため、摘み部材を回動させようとしても突部が軸案内溝に引っかかって回動できない。一方、本発明のサムターンにおいて、軸案内溝は、軸挿通部材の軸方向に延伸した溝であるため、摘み部材を軸方向に摺動させることにより突部を周案内溝側に移動させることができる。そのため、本発明のサムターンは、摘み部材を軸方向に摺動させた後であれば回動操作を行える。従って、本発明によれば、サムターン回しのように摘み部材をただ単に回転させるだけの手口では回転操作を行えない防犯特性に優れたサムターンを提供できる。
【００２０】
請求項５に記載の発明は、摘みと回転軸とを有する摘み部材と、当該摘み部材の回転軸が挿入されるガイド部材と、当該ガイド部材に装着される規制部材とを有し、前記摘み部材は、回転軸の周部から突出した突部を備え、前記ガイド部材は、前記突部を周方向に案内する案内溝を備え、規制部材は、ガイド部材に対して摺動可能であり、前記突出部を周方向に案内する周案内溝と、突出部を軸方向に案内する軸案内溝とからなる規制溝とを備え、常時は突部が軸案内溝内にあり、摘み部材を回転軸の軸方向に摺動させることによって突部が周案内溝内に移動し、回転軸側から摘み側に向かう方向に外力を作用させることによって規制部材が摺動し、周案内溝が突部側に移動することを特徴とするサムターンである。
【００２１】
本発明のサムターンにおいて、軸案内溝は規制部材の軸方向に延伸した溝であるため、回転軸の突部が軸案内溝内にある状態で摘み部材を回動させようとしても回動させることができない。一方、本発明のサムターンにおいて、摘み部材は、回転軸の軸方向に摺動させると突部が周案内溝内に移動し、周方向に自由に回動させることができる。従って、本発明のサムターンは、サムターン回しのような不正開錠を試みようとしても摘み部材を回動させることはできないが、摘み部材を軸方向に摺動させさえすれば容易に回動操作を行える。
【００２２】
本発明のサムターンは、回転軸側から摘み側に向かう方向に外力を作用させることによって規制部材が摺動し、周案内溝が突部側に移動する。即ち、本発明のサムターンは、回転軸側から外力が作用している場合は、突部が周案内溝内にあり、摘み部材を自由に回動させることができる。
【００２３】
請求項６に記載の発明は、先端に係合部を有する摘み部材と、当該摘み部材の先端に接続される接続軸とを有し、接続軸は前記係合部が係合する被係合部を有し、摘み部材と接続軸との間には、摘み部材を接続軸から離反する方向に付勢する付勢手段が介在していることを特徴とするサムターンである。
【００２４】
本発明のサムターンは、付勢手段によって接続軸が付勢され、摘み部材から離反しているため、単に摘み部材を回転させるだけでは接続軸側にトルクが伝わらない。一方、本発明のサムターンは、付勢手段の付勢力に反して摘み部材を接続軸側に近接させ、係合部と被係合部とを係合させた状態で摘み部材を回転させると、接続軸が摘み部材と一体となって回転する。本発明によれば、摘み部材を接続軸側に押し込んだ後に回転させない限り接続軸が作動しないため、サムターン回しが試みられても不正操作を行えないサムターンを提供できる。
【００２５】
請求項７に記載の発明は、施錠片を錠箱から出入りさせるための動作機構を有し、当該動作機構に請求項４乃至７のいずれかに記載のサムターンが接続されていることを特徴とする錠前である。
【００２６】
かかる構成によれば、サムターン回しが試みられても不正開錠されない防犯特性に優れた錠前を提供できる。
【００２７】
上記請求項１，２，７に記載の錠前は、いずれも摘み部材を押し込んでからでないと回転操作を行えないものであり、サムターン回しのような不正開錠に対して優れた防犯特性を発揮できる。しかし、錠前を取り付ける場所や条件によっては、サムターン回しに対する防犯特性よりも、操作の簡便さが要求される場合もある。
【００２８】
そこで、かかる問題に対処すべく提供される請求項８に記載の発明は、摘み部材の軸方向への摺動を阻止する摺動阻止部材を具備していることを特徴とする請求項１，２，７のいずれかに記載の錠前である。
【００２９】
本発明の錠前は、摺動阻止部材によって摘み部材を押し込んだ状態で摘み部材の軸方向への摺動を阻止しておけば、摘み部材を回転させるだけで開閉操作が可能となる。また、必要に応じて摺動阻止部材による摘み部材の摺動を解除すれば、上記したように摘み部材を押し込んでからでないと開錠や施錠を行えない状態とすることができる。従って、本発明によれば、錠前の設置場所や条件等に適した状態で使用可能な錠前を提供できる。
【００３０】
また同様の課題を解決すべく提供される請求項９に記載の発明は、摘み部材の周部から軸心方向に延伸した摺動阻止軸を有し、摘み部材が装着される他部材の周部には、摘み部材を軸方向に摺動させた状態において摺動阻止軸が係合可能な係合溝が設けられていることを特徴とする請求項１，２，７のいずれかに記載の錠前である。
【００３１】
本発明の錠前は、摘み部材を軸方向に摺動させた状態で摺動阻止軸を係合溝に係合させておけば、摘み部材を回転させるだけで開閉操作が可能となり、操作性が向上する。また逆に、本発明の錠前は、係合溝から摺動阻止軸を退出させれば、摘み部材を押し込んでからでないと開錠や施錠を行えない防犯特性に優れた状態とすることができる。従って、本発明によれば、錠前の設置場所や条件等に適した状態で使用可能な錠前を提供できる。
【発明の効果】
【００３２】
本発明によれば、摘み部材の不正操作を阻止可能で、防犯特性に優れた錠前を提供できる。
【発明を実施するための最良の形態】
【００３３】
続いて、本発明の一実施形態である錠前およびサムターンについて図面を参照しながら詳細に説明する。図１は、本実施形態の錠前を示す斜視図である。また、図２は、図１に示す錠前の分解斜視図である。図３は、本実施形態の錠前を構成する錠箱を示す斜視図である。図４は、図１に示す錠前のＡ−Ａ断面図であり、図５は図４の要部拡大図である。図６は図１に示す錠前が備える背面板を示す斜視図である。図７は、図１に示す錠前を扉に装着した状態を示す斜視図である。なお、図２においては、背面板を図示せず省略している。
【００３４】
図１において、１は本実施形態の錠前である。錠前１は、錠本体２に摘み部材３を接続して構成されている。錠本体２は、図２のように平面視が略矩形の錠箱５の内部に、錠部材６（施錠片）と、錠部材６を錠箱５に対して出入りさせる動作機構７とを内蔵している。
【００３５】
錠箱５は、図３のように正面８側に摘み部材３を装着するための装着部１１を有し、図２のように背面１０側が開口した箱体である。錠箱５は、四隅に正面８側から背面１０側に向けて貫通した貫通孔１２を有する。錠箱５の長側面１３，１３の相対向する位置に錠部材６を出入りさせるための開口１５，１５がある。
【００３６】
錠箱５の内部には、図２のように動作機構７が収納されている。動作機構７は、動力伝達部材１６と、動作軸１７と、支持部材１８とから構成されている。動力伝達部材１６は、金属製の平板の中心に矩形の挿通孔２０を有している。挿通孔２０は、後述する摘み部材３の係合部３５が係合し、空転部３６が空転する大きさとなっている。動力伝達部材１６の一端側には、動作軸１７を回動自在に支持する連結凸部２１が設けられている。動力伝達部材１６の他端側には、連結凸部２１と同一方向に突出した駆動軸２２が設けられている。駆動軸２２は、後述する錠部材６の挿通孔２９に挿入されている。挿通孔２０を中心として動力伝達部材１６が回転すると、駆動軸２２は円弧状の軌跡を描き、錠部材６を錠箱５の開口１５から出入りさせる。
【００３７】
動作軸１７は、支持部材１８に装着される軸部２３と、動力伝達部材１６の連結凸部２１に装着される連結孔２４とを有する。動作軸１７の軸部２３には、バネ１９が装着されている。支持部材１８は、動作軸１７の軸部２３を挿通可能な軸挿通孔２５を有する。動作軸１７は、動力伝達部材１６の回動に連動し、連結孔２４を中心として姿勢を変える。動力伝達部材１６が回動すると、軸部２３が軸挿通孔２５に侵入しバネ１９を押し縮められる。動力伝達部材１６がさらに回動すると、動作軸１７は、押し縮められたバネ１９の反発力を受けて連結孔２４を中心として姿勢を変え、動力伝達部材１６を回動させる。
【００３８】
錠箱５内には、動作機構７の支持部材１８を装着するためのスリット２６を有する。錠箱５の略中央部には、正面８側に突出した装着部１１の中心部から背面１０側に向けて貫通した貫通孔２７を有する。貫通孔２７は、後述する摘み部材３の回転軸３２を挿通可能な開口径を有する。
【００３９】
錠箱５内であって、動作機構７よりも背面１０側には、錠部材６が設けられている。錠部材６は、金属製の平板であり、図７のように錠箱５の両開口１５，１５のいずれか一方から突出して扉６０を施錠あるいは開錠する。錠部材６は、図２のように長手方向の略中央部に、動力伝達部材１６の駆動軸２２と係合可能な挿通孔２９を有する。挿通孔２９は、平面視が略三角形の孔である。挿通孔２９には、動力伝達部材１６の駆動軸２２が挿通されている。動力伝達部材１６が回転すると、挿通孔２９の内壁面が駆動軸２２によって押され、錠部材６が直線的に動作する。
【００４０】
錠箱５の背面１０側は、図４のように背面板３４が装着されて閉塞されている。背面板３４の中央部には、図６（ａ）のように接続軸４２によって連結板４４が固定されている。接続軸４２は、背面板３４の表裏を貫通しており、背面板３４に対して自由に回動できる。接続軸４２の先端は、断面形状が略矩形の接続部４２ａとなっており、連結板４４の矩形の連結孔４４ａに挿入されている。接続軸４２の他端側の端面には、図４や図６（ｂ）のように軸方向に窪んだ凹部４２ｂがある。接続軸４２は、凹部４２ｂに後述するシリンダー錠６５の舌片６６が嵌め込まれ、この舌片６６に連動して回動する。接続軸４２は、接続部４２ａが背面板３４の裏面３４ａ側に向き、凹部４２ｂが表面３４ｂ側に向くようにネジ止めされている。
【００４１】
連結板４４は、図６（ａ）のように矩形の連結孔４４ａと、丸孔４４ｂとを有する。連結板４４は、図４のように連結孔４４ａに背面板３４の裏面３４ａ側に突出している接続部４２ａを嵌め込むことにより接続軸４２と接続されている。背面板３４は、裏面３４ａを錠箱５の内側に向け、連結板４４の丸孔４４ｂに錠部材６の挿通孔２９から突出した動力伝達部材１６の駆動軸２２を嵌めた状態で固定される。そのため、錠前１は、背面板３４の表面３４ｂ側に露出した接続軸４２を回動させることによって動作機構７の駆動軸２２を作動させ、錠部材６を錠箱５から出入りさせることができる。
【００４２】
装着部１１は、図３のように錠箱５の正面８側に突出した略円筒形の部分である。装着部１１の軸方向の中途部にフランジ部２８を有し、このフランジ部２８と正面８との間に環状の溝３０（係合溝）が形成されている。
【００４３】
摘み部材３は、図２のように摘み部３１と、回転軸３２とを有する。回転軸３２は、摘み部３１の中央部に設けられた凹部３３から突出しており、その先端部に係合部３５と空転部３６とが形成されている。錠箱５の正面８側から回転軸３２を貫通孔２７に挿通すると、係合部３５および空転部３６は、錠箱５の内側に突出する。凹部３３は、装着部１１のフランジ部２８を収納可能な大きさの開口径を有する。
【００４４】
摘み部３１の外周には、摘み部材３が装着部１１の軸方向へ摺動するのを阻止するための固定具３７（摺動阻止部材）が装着されている。固定具３７には、図４および図５に示すようにネジ孔３８と、固定ネジ４０（摺動阻止軸）の頭部４１を収納可能な凹部４３とが設けられている。固定具３７を摘み部３１に装着すると、ネジ孔３８は、摘み部３１の貫通孔４５と連通する。そのため、ネジ孔３８に固定ネジ４０を装着し、所定量以上ねじ込むと、固定ネジ４０の軸部４６が凹部３３側に突出する。
【００４５】
摘み部材３は、図２のように、凹部３３にバネ４７を収納させ、回転軸３２を装着部１１に挿入して錠箱５内に突出させ、この回転軸３２に動力伝達部材１６およびワッシャ４８を介してネジ５０を装着することにより固定されている。バネ４７は、摘み部材３を錠箱５の正面８から離反する方向（図４，５の矢印Ｂ方向）に付勢している。そのため、摘み部材３は、正面８側に押し込まない限り空転部３６が動力伝達部材１６の挿通孔２０内にあり、動力伝達部材１６に対して自由に回転できる。即ち、摘み部材３は、常時は動力伝達部材１６に対して空回りし、摘み部材３を回転させても、このトルクは動力伝達部材１６に伝達されない。
【００４６】
一方、摘み部材３を錠箱５の正面８側（図４，５の矢印Ａ方向）に押し込むと、回転軸３２の係合部３５が動力伝達部材１６の挿通孔２０内に侵入して係合する。そのため、摘み部材３を押し込んで回転させると、トルクが動力伝達部材１６に伝達され、動力伝達部材１６が回転軸３２を中心として回転する。
【００４７】
錠前１は、図７に示すように錠箱５が扉６０の正面６１に固定されており、長側面１３が側面６２と略面一となっている。扉６０には、背面６３側からシリンダー錠６５が嵌め込まれ、固定されている。シリンダー錠６５は、図７に示すように略円筒形であり、正面側に鍵穴（図示せず）を有し、背面側から舌片６６が突出している。シリンダー錠６５は、鍵穴に鍵を挿入して回転させると、これに連動して図７に矢印ａ，ｂで示すように背面側の舌片６６が回動する。
【００４８】
図７に示すように錠前１およびシリンダー錠６５を固定すると、背面板３４の表面３４ｂに突出した接続軸４２の凹部４２ｂにシリンダー錠６５の舌片６６が嵌り込む。そのため、錠前１は、摘み部材３あるいはシリンダー錠６５を操作することにより開閉操作を行える。
【００４９】
本実施形態の錠前１は、図４，５や図７に矢印Ａで示すように摘み部材３を錠箱５の正面８側に押し込まないと、摘み部材３の操作による開錠を行えない。そのため、錠前１は、例えば扉６０に穴を空けたり、扉６０と取り付け枠（図示せず）との隙間から工具等を差し込んで摘み部材３を回しても、摘み部材３が空回りして開錠状態とならない。従って、錠前１は、いわゆるサムターン回しと称される不正開錠が試みられても開錠されず、防犯特性に優れている。
【００５０】
錠前１は、摘み部材３を押し込んだ状態で固定具３７の固定ネジ４０を締め込んでおくと、固定ネジ４０の軸部４６の先端が、錠箱５の装着部１１の外周に設けられた溝３０に嵌り込み、摘み部材３を常に押し込んだ状態としておくことができる。かかる状態にしておくと、錠前１は、摘み部材３を押し込まずに回しても施錠あるいは開錠できる。従って、錠前１は、サムターン回しに対する防犯特性よりも操作の簡便さが重要視されるような場所にも好適に設置できる。
【００５１】
（第２実施形態）
続いて、本発明の第２実施形態の錠前について図面を参照しながら詳細に説明する。図８は本実施形態の錠前を示す正面図であり、図９は図８のＡ−Ａ断面図である。また、図１０は、図９の要部拡大図である。図１１は、本実施形態の錠前の背板を取り外し、錠箱の一部を破断した状態を示す斜視図である。図１２は、本実施形態の錠前の摘み部材および背板を取り外した状態を示す分解斜視図である。図１３（ａ）は、サムターン軸を示す斜視図であり、同（ｂ）は正面図、同（ｃ）は同（ａ）のＢ方向矢視図、同（ｄ）は同（ａ）のＣ方向矢視図、同（ｅ）は同（ａ）のＡ−Ａ断面図である。図１４（ａ）は摘み部材を示す斜視図であり、同（ｂ）は同（ａ）のＡ方向図、同（ｃ）は同（ａ）のＢ−Ｂ断面図、同（ｄ）は同（ａ）のＣ方向矢視図である。なお、以下の説明において、上記実施形態の錠前１と同一の構造を有するものについては同一の符号を付し、詳細な説明は省略する。
【００５２】
錠前７０は、図８のように錠箱７１の正面７２に取り付けられた摘み部材７３を回動させることにより、錠箱７１の側面７５あるいは側面７６にある開口７５ａ，７６ｂから鎌形の錠部材７７（施錠片）を出入りさせるものである。錠前７０は、図９のように錠箱７１を扉６０の正面６１側にネジ止めし、背板７９から突出した収納筒７９ａが扉６０を貫通するようにして使用される。収納筒７９ａ内にはシリンダー錠１０３が内蔵されている。
【００５３】
錠前７０は、図１１のように錠箱７１の内部に摘み部材７３の回動によるトルクを錠部材７７に伝える動作機構７８を内蔵している。動作機構７８は、バネ８０と動力伝達部材８１とにより構成されている。バネ８０は、ねじりコイルバネであり、その両端に係合部８２，８３を有する。バネ８０の一端側は、係合部８２を錠箱７１の内側に突出した突起８５に挿通され、突起８５に対して回動自在に支持されている。バネ８０の他端側は、係合部８３を後述する動力伝達部材８１のピン８６に挿通され、動作機構７８に接続されている。
【００５４】
動力伝達部材８１は、平板状の伝達板９１の中央部に挿通孔９０を有し、両端に伝達板９１に対して垂直に立設したピン８６，８７を有する。挿通孔９０は、錠箱７１の正面７２側から挿入されたサムターン軸８８の先端部８９が挿通され係合する部分である。ピン８６，８７は、伝達板９１に対して同一方向に突出している。動力伝達部材８１は、ピン８６にバネ８０の係合部８３が挿通されると共に、ピン８７が錠部材７７のピン係合部９２に係合されている。そのため、動力伝達部材８１は、サムターン軸８８の回動によるトルクやバネ８０の変形により発生する応力を錠部材７７に伝達できる。
【００５５】
錠部材７７は、図１１のように円板部９３と鎌部９５とを有し、平面視が錨型の金属製の部材である。錠部材７７は、円板部９３の中心部に貫通孔９６ａを有し、スリーブ９６ｂが挿通されている。スリーブ９６ｂには、錠部材７７の回動の中心となる中心軸９７が挿通されている。円板部９３の頂部には、周部から貫通孔９６ａ側に向けて切り欠いて形成されたピン係合部９２がある。上記したように、ピン係合部９２には、動力伝達部材８１のピン８７が係合している。錠部材７７は、動力伝達部材８１が回転すると、ピン係合部９２に係合しているピン８７によって中心軸９７を中心として回動し、錠箱７１の開口７５ａあるいは開口７６ａから錠部材７７の略半分が突出する。
【００５６】
サムターン軸８８は、図９，１０や図１２のように、錠箱７１の正面７２側から挿通されている。サムターン軸８８は、図１３に示すように、大別して接続部９８、円筒部１００、角筒部１０１によって構成されている。サムターン軸８８は、軸心部分に接続部９８側の側面から円筒部１００の中途にかけて延伸したバネ収納穴１０２を有する。
【００５７】
接続部９８は、サムターン軸８８の先端部分にあり、略円筒形の部分である。接続部９８の端面９８ｃ側には、図１３（ａ），（ｃ）のようにサムターン軸８８の軸心部から周部９８ａ側に向けて延伸した十文字の溝９８ｄ（係合溝）と、周部９８ａ側から中心軸側に突出した平面視が略扇形の突起９８ｂが形成されている。上記したバネ収納穴１０２の開口部分は、図１３（ｃ）のように溝９８ｄの中央部分に位置している。
【００５８】
円筒部１００の軸方向略中央部分には、フランジ部１００ａがある。サムターン軸８８は、図９，１０や図１２のように、フランジ部１００ａよりも接続部９８側の部位が錠箱７１の外側に露出し、角筒部１０１側の部位が錠箱７１内に収納される。円筒部１００は、接続部９８側に全周にわたる溝１００ｂ，１００ｃを有し、角筒部１０１側に全周にわたる溝１００ｄを有する。溝１００ｂ，１００ｃは円筒部１００の軸方向に連続している。溝１００ｂは、溝１００ｃよりも接続部９８側にあり、溝１００ｃよりも浅い溝である。
【００５９】
角筒部１０１は、円筒部１００に連続する部分であり、図１３（ｄ）のように３つの平面状の面１０１ａと円弧状の面１０１ｂとを有する。角筒部１０１の端部には、平面視が略扇形でサムターン軸８８の軸方向に突出した突出部１０１ｃがある。突出部１０１ｃは、後述する錠箱７１の背面側に固定されるシリンダー錠１０３の回転軸１０５に係合する部分である。
【００６０】
サムターン軸８８は、図９，１０や図１２のように錠箱７１の正面７２に設けられた貫通孔７２ａに角筒部１０１側から挿通されており、円筒部１００のフランジ部１００ａが正面７２に面接している。サムターン軸８８は、錠箱７１の内側から円筒部１００の溝１００ｄに嵌め込まれたワッシャ１０４とフランジ部１００ａによって錠箱７１の正面７２を挟んだ状態で回動自在に装着されている。
【００６１】
サムターン軸８８の角筒部１０１は、図９，１０のように錠箱７１の内側に突出しており、錠箱７１内に収納されている動力伝達部材８１の挿通孔９０に挿通されている。角筒部１０１は、動力伝達部材８１よりもさらに錠前７０の背面側に突出している。角筒部１０１は、錠箱７１の背面側を被覆する背板７９の収納筒７９ａ内に挿入され、収納筒７９ａ内に収納されているシリンダー錠１０３の回転軸１０５に接続されている。そのため、錠前７０は、図９のようにシリンダー錠１０３に鍵１８１を挿入して回動させることによってもサムターン軸８８にトルクを伝達し、施錠や開錠を行うことができる。
【００６２】
一方、サムターン軸８８の接続部９８側には摘み部材７３が接続されている。摘み部材７３は、図１４のように略円筒形の部材であり、端面７３ａ側に開口した軸挿通孔７３ｂを有する。軸挿通孔７３ｂは、サムターン軸８８の接続部９８が挿通される部分であり、端部に係合部７３ｃを有する。
【００６３】
係合部７３ｃは、図１４のように軸挿通孔７３ｂの外周側から摘み部材７３の中心軸側に向けて延伸した係合突起７３ｄを有する。係合突起７３ｄは、軸挿通孔７３ｂの周方向に４つ等間隔に設けられており、隣接する係合突起７３ｄ，７３ｄ間に略扇形の係合溝７３ｅが形成されている。また、係合部７３ｃの中心部には、円柱状の支持突起７３ｆがある。支持突起７３ｆは、図９や図１０のように摘み部材７３とサムターン軸８８との間にあるバネ１０６の端部を嵌め込んで支持するためのものである。
【００６４】
摘み部材７３の外周には、図１４のように上記第１実施形態において採用されていた摘み部材３の固定具３７と同様の固定具１０７（摺動阻止部材）が装着されている。固定具１０７は、図１４に示すように固定ネジ１０７ａ（摺動阻止軸）と受け部材１０７ｂとから構成されている。受け部材１０７ｂには、摘み部材７３の外周側から軸心方向に延伸し、軸挿通孔７３ｂに貫通したネジ孔１０７ｃと、固定ネジ１０７ａの頭部を収納可能な凹部１０７ｄとがある。通常、固定ネジ１０７ａは、図９や図１０のように軸部の先端部分がサムターン軸８８の溝１００ｂに係合する程度までねじ込まれている。この状態では、固定ネジ１０７ａの先端部分は溝１００ｃには達していない。そのため摘み部材７３は、サムターン軸８８から脱落せず、サムターン軸８８の軸方向に自由に摺動できる。
【００６５】
一方、摘み部材７３を図９，１０の矢印Ｎ方向に押し込み、摘み部材７３とサムターン軸８８とを嵌合させた状態とすると、固定ネジ１０７ａをさらにねじ込むことができる。この状態では、固定ネジ１０７ａの先端が溝１００ｃに嵌り込み、摘み部材７３の摺動が阻止される。
【００６６】
サムターン軸８８の接続部９８に接続された摘み部材７３を図９や図１０に矢印Ｎで示すようにサムターン軸８８の軸方向に押し込むと、サムターン軸８８と摘み部材７３とが嵌合する。さらに具体的には、係合部７３ｃの係合突起７３ｄがサムターン軸８８側の十文字型の溝９８ｄに嵌り込む。また逆に、サムターン軸８８側の扇形の突起９８ｂは、摘み部材７３側の係合溝７３ｅに嵌り込む。摘み部材７３をサムターン軸８８側に押し込んで嵌合させてから摘み部材７３を回転させると、このトルクがサムターン軸８８側に伝わる。
【００６７】
一方、図９，１０の矢印Ｎ方向への力が解除された状態では、バネ１０６の付勢力により摘み部材７３がサムターン軸８８から離れ、上記した嵌合状態が解除される。この状態では摘み部材７３を回転させても、トルクがサムターン軸８８側には伝わらない。即ち、錠前１は、摘み部材７３を矢印Ｎ方向に押し込まない限り、摘み部材７３はサムターン軸８８に対して空回りするだけで、錠部材７７は錠箱７１から出入りしない。
【００６８】
本実施形態の錠前７０についても、上記した錠前１と同様に摘み部材７３を錠箱７１の正面７２側に押し込まずに回動操作しても、これによるトルクがサムターン軸８８に伝達されず開錠できない。そのため、錠前７０は、いわゆるサムターン回しと称される手口による不正開錠を試みようとして摘み部材７３を回しても、摘み部材７３が空回りするだけで開錠状態とならない。
【００６９】
錠前７０は、摘み部材７３を押し込み、固定具１０７の固定ネジ１０７ａを締め込んでおくことで、係合部７３ｃおよび係合突起７３ｄと溝９８ｄおよび突起９８ｂとが常に嵌合した状態としておくことができる。かかる状態にしておくと、錠前７０は、摘み部材７３を押し込まずに回しても施錠あるいは開錠できる。従って、錠前７０は、サムターン回しに対する防犯特性よりも操作の簡便さが重要視されるような場所にも好適に設置できる。
【００７０】
（第３実施形態）
続いて、本発明の別の実施形態の錠前およびサムターンについて説明する。図１５は、本実施形態の錠前を取り付けた扉の分解斜視図である。また、図１６は、本実施形態の錠前の錠本体を示す斜視図である。図１７は、本実施形態の錠前の要部を示す断面図である。図１８は、本実施形態の錠前に用いられるサムターンを示す斜視図であり、図１９はこの分解斜視図である。なお、以下の説明において上記実施形態と共通する部分については同一の符号を付し、詳細の説明については省略する。
【００７１】
図１５において１１０は本実施形態の錠前である。錠前１１０は、従来公知の錠前と同様に、錠箱１１５にデッドボルト１１２（施錠片）およびラッチ１１３を出入りさせるための動作機構（図示せず）を内蔵した錠本体１１１にシリンダー錠６５およびサムターン１１６を接続して構成される。
【００７２】
錠本体１１１は、図１６に示すように、錠箱１１５の正面１１７および背面１１８に２つの開口部１２０，１２１を有する。開口部１２０には、上記した動作機構の一部であり、後述するサムターン軸１５０（回転軸）およびシリンダー錠６５の舌片６６と係合する係合部１２２が露出している。デッドボルト１１２は、サムターン軸１５０や舌片６６の回動と共に動作し、錠箱１１５の側面１２３から出入りする。また同様に、開口部１２１には、上記した動作機構の一部を構成する角穴１２５が露出している。角穴１２５は、ドアハンドル１２６の支軸となる角芯１２７が挿通されるものである。
【００７３】
錠前１１０は、図１５に示すように錠本体１１１を扉１３０内に埋設して使用される。錠本体１１１は、側面１２３が扉１３０の側面１３１側を向き、デッドボルト１１２およびラッチ１１３が側面１３１から突出可能なように設置される。また、扉１３０の正面１３２および背面１３３には、それぞれ錠箱１１５の開口部１２０，１２１に相当する位置に取り付け孔１３５，１３６が窄孔されている。
【００７４】
扉１３０には、取り付け孔１３６および開口部１２１，１２１を貫通するように角芯１２７が挿通され、この角芯１２７の両端にドアハンドル１２６が固定されている。ドアハンドル１２６を回動させると、これに連動して錠前１１０のラッチ１１３が扉１３０の側面１３１から出入りする。
【００７５】
扉１３０の背面１３３側に設けられた取り付け孔１３５には、図１５のようにシリンダー錠６５が装着されている。シリンダー錠６５は、鍵穴（図示せず）のある正面側を外側に向け、背面側の舌片６６を係合部１２２に係合させて固定されている。そのため、シリンダー錠６５に鍵１８１を挿入して回動させると、これに連動して錠箱１１５内の動作機構が作動し、扉１３０の側面１３１からデッドボルト１１２が出入りする。
【００７６】
一方、扉１３０の正面１３２側に設けられた取り付け孔１３５には、図１５や図１７のように台座１３７および支持部材１３８を介してサムターン１１６が固定されている。支持部材１３８は、軸方向に貫通し、サムターン１１６を挿入するための貫通孔１４０を有する。貫通孔１４０は、開口径が支持部材１３８の前面１４６側から後面１４７側に向けて３段階に縮径しており、前面１４６側から大径部１４０ａ、中径部１４０ｂ、小径部１４０ｃの３つの部位に分かれている。支持部材１３８は円筒体であり、その外周部にはフランジ部１４１が設けられている。台座１３７は、支持部材１３８の外周を包囲する筒状の部材であり、内側に台座１３７の中心軸方向に突出したフランジ部１４３を有する。支持部材１３８は、扉１３０に対してネジ止めされている。台座１３７は、フランジ部１４１，１４３間に設けられたバネ１４５によって扉１３０の正面１３２側に押しつけられて固定されている。
【００７７】
サムターン１１６は、図１８や図１９のように主としてサムターン軸１５０と摘み部材１５１、スペーサー１５２、バネ１５３、連結軸１５５を組み合わせて構成されている。摘み部材１５１とスペーサー１５２との間には、支持部材１３８の前面１４６を被覆する被覆部材１５６が挟まれている。
【００７８】
サムターン軸１５０は、大別して頭部１５７、中間部１５８、先端部１５９の３つの部分からなる中実の軸体である。サムターン軸１５０は、頭部１５７から先端部１５８にかけて３段階に縮径している。頭部１５７の端面１５７ａには、サムターン軸１５０の姿勢を示す表示１５７ｂが印刷されている。先端部１５９の中途には、外側に向けて突出した歯部１６０（係合部）が設けられている。歯部１６０は、先端部１５９の他の部位よりも径方向外側に突出した４つの突出部１６０ａを有し、隣接する突出部１６０ａ同士の間に溝部１６０ｂが形成されている。
【００７９】
摘み部材１５１は、大別してハンドル部１６１（摘み）、中間部１６２、先端部１６３の３つの部分からなる軸体であり、軸心部分にハンドル部１６１から先端部１６３に向けて貫通した貫通孔１６５を有する。貫通孔１６５は、サムターン軸１５０の外形にほぼ沿う形状となっており、サムターン軸１５０が挿通されている。そのため、摘み部材１５１は、サムターン軸１５０に対して自由に回動できると共に、サムターン軸１５０の先端部１５９側に自由に摺動できる。
【００８０】
摘み部材１５１の中間部１６２の外周には、溝１６６が形成されている。溝１６６は、スペーサー１５２を嵌め込むためのものである。先端部１６３には、内外に向けて突出した４つの突起１６７（被係合部）が周方向に等間隔に設けられている。突起１６７は、図１７のように、サムターン軸１５０の端面１５７ａと、摘み部材１５１のハンドル部１６１側の端面１６１ａとが面一である状態では、サムターン軸１５０の歯部１６０と中間部１５８との間の部位（以下、空転部１７５と称す）にある。突起１６７は、摘み部材１５１をサムターン軸１５０の先端部１５９側に摺動させることによって歯部１６０の溝部１６０ｂに嵌り込み、端面１５７ａ，１６１ａが面一である限りは溝部１６０ｂには嵌らない。
【００８１】
被覆部材１５６は、支持部材１３８の前面１４６を被覆する被覆面１７０に挿通孔１６８とネジ挿通孔１７１とを設けたものである。摘み部材１５１は、貫通孔１６５にサムターン軸１５０を挿通して組み合わせた状態で被覆部材１５６の挿通孔１６８に挿通されている。摘み部材１５１の中間部１６２に設けられた溝１６６にはスペーサー１５２が嵌め込まれており、スペーサー１５２とハンドル部１６１との間に被覆面１７０が存在している。スペーサー１５２は、外形が略Ｃ字型の部材であり、軸方向に突出した突出部１７２を有する。スペーサー１５２は、突出部１７２を被覆面１７０側に向けた状態で装着されており、常時は突出部１７２が被覆面１７０に当接している。そのため、被覆部材１５６は、摘み部材１５１から脱落しない。
【００８２】
摘み部材１５１の全長は、サムターン軸１５０の全長よりも短い。そのため、サムターン軸１５０の端面１５７ａと、摘み部材１５１の端面１６１ａとが面一である状態において、サムターン軸１５０の先端部１５９の一部は、摘み部材１５１の先端部１６３から突出した状態となる。サムターン軸１５０の先端部１５９は、連結軸１５５に設けられた差込口１７６に差し込まれ、ピン１７７によって固定されている。摘み部材１５１の先端部１６３の端面１６３ａと連結軸１５５の差込口１７６側に設けられたワッシャ１７３との間には、バネ１５３が介在している。バネ１５３は、サムターン軸１５０の歯部１６０の外周部分に位置しており、摘み部材１５１を連結軸１５５から離反する方向に付勢している。これにより、摘み部材１５１の端面１６１ａは、ハンドル部１６１を先端部１５９，１６３側に押し込まない限りサムターン軸１５０の端面１５７ａと面一に維持される。
【００８３】
連結軸１５５の先端側には、周方向に４つの凹部１７８が設けられている。凹部１７８は、連結軸１５５を錠箱１１５の開口部１２０に挿入した時に、錠箱１１５内にある係合部１２２に係合する部分である。
【００８４】
上記したようにして複数の部材を組み合わせて構成されるサムターン１１６は、支持部材１３８の前面１４６側に開口した貫通孔１４０に連結軸１５５側から挿通され、被覆部材１５６のネジ挿通孔１７１に挿通されたネジ１８０によってネジ止めされる。摘み部材１５１の溝１６６に装着されたスペーサー１５２の外径は、支持部材１３８の貫通孔１４０の大径部１４０ａの内径と略同一である。そのため、摘み部材１５１は、支持部材１３８の軸方向に自由に摺動できる。
【００８５】
摘み部材１５１の先端部１６３のうち突起１６７に相当する部位や、摘み部材１５１の摺動により突起１６７が移動すると想定される部位は、支持部材１３８の貫通孔１４０の中径部１４０ｂ内にある。摘み部材１５１の端面１６３ａ側の部位は、支持部材１３８の小径部１４０ｃ内に挿入されており、先端部分にある連結軸１５５が支持部材１３８の後面１４７から露出している。連結軸１５５は、扉１３０内に固定された錠本体１１１の係合部１２２に係合している。
【００８６】
錠前１１０は、従来技術の錠前と同様に扉１３０の背面１３３に取り付けられたシリンダー錠６５の鍵穴に鍵１８１を差し込み、回動させることにより施錠や開錠ができるが、サムターン１１６を従来技術と同様に回動させるだけでは施錠や開錠を行えない。
【００８７】
さらに具体的に説明すると、サムターン１１６は、ただ単に摘み部材１５１をサムターン軸１５０周りに回転させるだけでは先端部１６３の内側に突出した突起１６７がサムターン軸１５０の空転部１７５の周囲を空転し、摘み部材１５１のトルクがサムターン軸１５０に伝達されない。サムターン１１６は、摘み部材１５１を図１５や図１７に矢印Ｐで示すように先端部１５９，１６３側（扉１３０側）に押し込むと、摘み部材１５１の突起１６７がサムターン軸１５０の空転部１７５側からサムターン軸１５０の歯部１６０側に移動し、溝部１６０ｂに嵌り込む。この状態で摘み部材１５１をサムターン軸１５０周りに回転させると、摘み部材１５１のトルクがサムターン軸１５０に伝達され、摘み部材１５１とサムターン軸１５０とが一体となって回転する。サムターン軸１５０が回転すると、トルクが連結軸１５５を介して錠箱１１５内の係合部１２２に伝達され、デッドボルト１１２が錠箱１１５から出入りする。
【００８８】
上記したように、サムターン１１６は、摘み部材１５１を先端部１５９，１６３側に押し込んでから回転操作を行わないと、トルクが係合部１２２に伝わらない。そのため、錠前１１０は、サムターン回しと称される不正開錠のような何らかの手法で回転軸１５０を回転させるだけでは開錠することができず、防犯特性に優れている。
【００８９】
（第４実施形態）
続いて、本発明のさらに別の実施形態の錠前およびサムターンについて図面を参照しながら詳細に説明する。図２０は、本実施形態の錠前を取り付けた扉の分解斜視図である。また、図２１は、本実施形態の錠前に用いられるサムターンを示す斜視図であり、図２２はこの分解斜視図である。図２３は、シリンダー錠の要部を示す正面図である。また、図２４は、図２１に示すサムターンの動作を示す模式図である。なお、以下の説明において上記実施形態と共通する部分については同一の符号を付し、詳細の説明については省略する。
【００９０】
図２０において１９０は本実施形態の錠前である。錠前１９０は、上記第３実施形態の錠前１１０と同様に錠本体１１１を扉１３０内に固定し、この錠本体１１１に扉１３０の背面１３３側からシリンダー錠６５と略同一の構成を有するシリンダー錠１９４を接続したものである。錠前１９０は、扉１３０の正面１３２側に固定されるサムターン１９１の構成が大きく異なる。以下、サムターン１９１の構成および動作を中心に説明する。
【００９１】
サムターン１９１は、図２１および図２２のようにサムターン軸１９２とガイド部材１９３、規制部材１９５、接続軸１９６、バネ１９７，１９８を２本のピン１９９ａ（突部）とピン１９９ｂを用いて連結したものである。サムターン軸１９２は、摘み部２００と軸部２０１とを有している。軸部２０１は、摘み部２００側に大径部２０２を有し、先端側に小径部２０３を有する。大径部２０２および小径部２０３の周部には、それぞれ軸部２０１の軸心方向に向けて開口し、ピン１９９ａ，１９９ｂを挿通するためのピン挿通孔２０５，２０６が設けられている。
【００９２】
ガイド部材１９３は、図２２のように上記第３実施形態において採用されていた被覆部材１５６に相当する被覆部２０７と、被覆部２０７の周壁２０８の延伸方向に突出したガイド部２１０とを有する。被覆部２０７の被覆面２１１には、被覆部材１５６と同様にサムターン１９１の固定用のネジ挿通孔２１２とサムターン軸１９２の軸部２０１を挿通するための軸挿通孔２１３が設けられている。
【００９３】
ガイド部２１０は、略円筒形の形状で被覆部２０７に対して溶着されており、軸挿通孔２１３に連通している。ガイド部２１０の周部２１５には、周方向に延伸したスリット２１６がある。スリット２１６の径方向の開口幅は周部２１５の略半周分に相当し、軸方向の開口幅はピン１９９ａの外径の略２倍に相当する。周部２１５上であって、ガイド部２１０に対向する位置にはガイド部２１０の軸方向に延伸した係止溝２１７がある。
【００９４】
バネ１９７は、ガイド部２１０の外周に沿うように装着されるものであり、図２１や図２２，２３のように被覆面２１１と規制部材１９５との間に介在している。規制部材１９５は、バネ１９７によって被覆面２１１から離反する方向に付勢されている。
【００９５】
規制部材１９５は、図２２のように略円筒形の部材であり、内径がガイド部２１０の外径と略合致している。規制部材１９５は、ガイド部材１９３の外側に装着され、軸挿入部材として使用される。規制部材１９５の周部２２０には、規制溝２２１と規制突起２２２とがある。規制溝２２１は、規制部材１９５の周方向に延伸した横溝２２３と、規制部材１９５の軸方向に延伸した縦溝２２５とが繋がったものである。
【００９６】
横溝２２３の周方向の開口幅は、ガイド部２１０のスリット２１６と同様に周部２２０の略半周分に相当しており、軸方向の開口幅は、ピン１９９ａの外径より僅かに大きい程度である。縦溝２２５は、横溝２２３の周方向中央部に繋がる縦溝２２５ａと、横溝２２３の周方向両端部に繋がる縦溝２２５ｂ，２２５ｃとから構成されている。３つの縦溝２２５は、いずれも横溝２２３に対して同一方向に延伸している。横溝２２３の周方向および軸方向の開口幅は、いずれもピン１９９ａの外径より僅かに大きい程度である。
【００９７】
規制突起２２２は、規制溝２２１に対向する位置にあり、周部２２０の内周側に突出している。規制突起２２２は、ガイド部材１９３の係止溝２１７に係合可能である。規制突起２２２をガイド部材１９３の係止溝２１７に係合させると、規制部材１９５はガイド部２１０の軸方向に摺動可能であるが、ガイド部２１０の周方向には回動不能となる。規制部材１９５をガイド部２１０に装着すると、規制溝２２１とスリット２１６とが重なり合い、通路２１８を形成する。
【００９８】
サムターン軸１９２、ガイド部材１９３および規制部材１９５は、バネ１９７およびピン１９９ａを用いて一体化されている。さらに具体的には、サムターン軸１９２は、軸挿通孔２１３に挿通されており、軸部２０１がガイド部２１０側に突出している。軸部２０１の大径部２０２は、ガイド部２１０内に納まっている。
【００９９】
ガイド部２１０の外周側には、バネ１９７と規制部材１９５とが装着されている。バネ１９７は、被覆面２１１と規制部材１９５の端面との間に挟まれており、規制部材１９５をガイド部材１９３から離反する方向に付勢している。規制部材１９５は、縦溝２２５が被覆面２１１側を向く姿勢とされて装着されている。ピン１９９ａは、規制部材１９５の規制溝２２１およびガイド部２１０のスリット２１６を横切り、サムターン軸１９２のピン挿通孔２０５に挿通されている。そのため、サムターン軸１９２は、ピン１９９ａと、規制溝２２１およびスリット２１６の組み合わせによって形成される通路２１８によって回動および摺動が規制されている。
【０１００】
サムターン軸１９２の小径部２０３には、バネ１９８を介して接続軸１９６が接続されている。接続軸１９６は、図２２のように一端（先端２２６ａ）側が閉塞され、他端（開口端２２６ｂ）側にフランジ部２２７を有する中空の筒体である。接続軸１９６の外周部には、軸方向に延伸した長孔２２８がある。長孔２２８は、接続軸１９６の内外を連通している。接続軸１９６の先端２２６ａ側には、周方向に４つの凹部２３０が設けられている。凹部２３０は、錠箱１１５の開口部１２０に挿入され、係合部１２２に係合する部分である。
【０１０１】
接続軸１９６の内部には、バネ１９８が収納されており、開口端２２６ｂ側にサムターン軸１９２の小径部２０３が挿入されている。ピン１９９ｂは、長孔２２８を横切った状態で小径部２０３のピン挿入孔２０６に挿入されており、接続軸１９６とサムターン軸１９２とを接続している。サムターン軸１９２は、バネ１９８によって常時接続軸１９６から離反する方向に付勢されている。
【０１０２】
上記したような構成のサムターン１９１は、接続軸１９６を扉１３０内に固定された錠箱１１５の開口部１２０側に差し込んで使用される。一方、扉１３０の背面１３３側にはシリンダー錠１９４が接続されている。シリンダー錠１９４は、上記実施形態において採用されていたシリンダー錠６５と略同一の構成を有するが、シリンダー錠１９４の背面側に突出している舌片２３１の構造が異なる。
【０１０３】
さらに具体的には、シリンダー錠６５，１９４は、図２３のように舌片６６，２３１が収納されている舌片収納部２３２に連通し、鍵穴（図示せず）から鍵１８１が挿入される鍵進入路２３３を有している点で同一の構造を有している。シリンダー錠６５の舌片６６は、図２３（ａ）のように、切り欠き２３５を有しているため、鍵１８１の先端部が図中に矢印で示すように舌片収納部２３２に侵入してきても外部に押し出されない。一方、シリンダー錠１９４の舌片２３１は、鍵１８１の逃げとなる切り欠き２３５を有していない。そのため、シリンダー錠１９４は、鍵穴に鍵１８１を差し込むと、図２３（ｂ）に矢印および二点鎖線で示すように舌片２３１が外側に押し出される。
【０１０４】
本実施形態の錠前１９０は、サムターン１９１の動作に特徴を有する。以下、サムターン１９１の動作について詳細に説明する。図２４（ａ）は、軸方向への外力が作用していない通常時のサムターン１９１の状態を示す図である。図２４（ａ）の状態では、サムターン軸１９２は、接続軸１９６内のバネ１９８によって付勢され、大径部２０２の一部がガイド部材１９３の外側（図中上方）に突出した状態となっている。ガイド部２１０に装着された規制部材１９５は、バネ１９７によって接続軸１９６側に付勢されており、端部がフランジ部２２７に当接している。規制部材１９５の規制突起２２２は、ガイド部２１０の係止溝２１７に嵌り込んでいる。そのため、規制部材１９５は、ガイド部２１０に対して自由に回動できない。
【０１０５】
ガイド部２１０のスリット２１６は、常時は図２４（ａ）のように規制溝２２１と重なり合った状態となっており、図中にハッチングを施したような通路２１８を形成する。ピン１９９ａは、規制溝２２１の縦溝２２５ａに嵌り込んでいる。上記したように、規制溝２２１はガイド部２１０に対して回動できない。そのため、サムターン軸１９２は、図中に矢印Ｒ，Ｌで示すように摘み部２００をただ単に回転させようとしてもピン１９９ａが縦溝２２５ａに引っかかって回転できないロック状態になっている。
【０１０６】
一方、図２４（ｂ）に矢印Ｆ１で示すように、バネ１９８の付勢力に反してサムターン軸１９２を接続軸１９６側に押し込むと、大径部２０２に装着されたピン１９９ａが縦溝２２５ａ側から横溝２２３側へと移動する。横溝２２３は、規制部材１９５の内側にあるガイド部２１０のスリット２１６と連通し、通路２１８を形成している。そのため、ピン１９９ａは、横溝２２３に沿って周方向に自由に回動できる。即ち、サムターン軸１９２は、接続軸１９６側に押し込むことによってはじめて自由に回動可能なロック解除状態となる。
【０１０７】
サムターン軸１９２は、長孔２２８に挿入されたピン１９９ｂによって接続軸１９６に接続されている。そのため、サムターン軸１９２を接続軸１９６側に押しこみ、ロック解除状態とした状態で回動させると、接続軸１９６が回動し、施錠・開錠動作が可能となる。
【０１０８】
サムターン軸１９２は、接続軸１９６内のバネ１９８によって常にガイド部材１９３の外側（図中上方）へ付勢されている。そのため、例えば図２４（ｂ）に示すように縦溝２２５ａに相当する位置にピン１９９ａがある状態において、サムターン軸１９２を接続軸１９６側に押し込む力が解除されると、サムターン軸１９２は直ちに図２４（ａ）の姿勢になり、ロック状態に戻る。また、錠前１９０を施錠あるいは開錠すべくサムターン１９１の回動操作する場合のように、ピン１９９ａが縦溝２２５ｂあるいは縦溝２２５ｃに相当する位置にある場合についても、サムターン軸１９２を押し込む力を解除するとピン１９９ａが縦溝２２５ｂ，２２５ｃ内に侵入してロック状態となる。
【０１０９】
サムターン１９１は、図２４（ｃ）に矢印Ｆ２で示すように、接続軸１９６側に対してガイド部材１９３側に向かう力が作用した場合にもロック解除状態となる。さらに具体的には、扉１３０の背面１３３側に固定されているシリンダー錠１９４の鍵１８１が挿入されると、錠箱１１５の開口部１２０に挿入されている舌片２３１が突出し、開口部１２０に扉１３０の正面１３２側から挿入されている接続軸１９６を図２４（ｃ）の矢印Ｆ２方向に押す。
【０１１０】
接続軸１９６が矢印Ｆ２方向に押されると、フランジ部２２７に当接している規制部材１９５がガイド部材１９３側に移動し、規制溝２２１の位置もガイド部材１９３側にずれる。そのため、ピン１９９ａは、縦溝２２５ａ側から横溝２２３側へと相対移動し、横溝２２３に沿って自由に回動可能となる。即ち、サムターン軸１９２は、シリンダー錠１９４に鍵１８１を挿入することによっても自由に回動可能となり、ロック状態が解除される。
【０１１１】
サムターン１９１は、シリンダー錠１９４に挿入された鍵１８１が抜かれ、接続軸１９６に作用する矢印Ｆ２方向の力が解除されると、バネ１９７の付勢力により規制部材１９５が接続軸１９６側に押し戻される。これにより、ピン１９９ａが縦溝２２５ａ，２２５ｂ，２２５ｃのいずれかに嵌り込み、サムターン軸１９２が直ちにロック状態に戻る。
【０１１２】
上記したように、本実施形態の錠前１９０は、サムターン１９１を接続軸１９６側に押し込むか、鍵１８１をシリンダー錠１９４に差し込むなどして接続軸１９６をガイド部材１９３側に押し込むといった操作を行わない限り、サムターン軸１９２を回動操作できない。従って、錠前１９０によれば、不正開錠しようとして回動方向への力を作用させたとしてもサムターン軸１９２が回動せず、高い防犯効果が得られる。
【０１１３】
（第５実施形態）
続いて、本発明のさらに別の実施形態について図面を参照しながら詳細に説明する。図２５は、本実施形態のサムターンを示す斜視図であり、図２６はこのサムターンの分解斜視図である。図２７は、図２５に示すサムターンにおいて採用されている接続軸を示す斜視図である。図２８は、図２５に示すサムターンの一部断面図である。なお、図２５＝２７では、ケース部材を図示せず省略している。また、以下の説明において、上記各実施形態と共通する部分には同一の符号を付し、詳細の説明については省略する。
【０１１４】
図２５において２５０は本実施形態のサムターンである。サムターン２５０は、上記第４実施形態の錠前１９０に採用されていたサムターン１９１と同様に、扉１３０の正面１３２側に固定し、錠本体１１１に接続されて使用されるものである。
【０１１５】
サムターン２５０は、図２５および図２６のようにサムターン軸２５１と接続軸２５２との間に被覆部材１５６と、蓋部材２５３、ワッシャ２５４、バネ２５５を介在させて構成される。サムターン２５０は、図２８のように円筒形のケース部材２５９内に収納されている。
【０１１６】
サムターン軸２５１は、摘み部２５６と軸部２５７とに大別される。軸部２５７は、摘み部２５６側の大径部２５８と小径部２６０とを有する。大径部２５８には、バネ２５５の端部を差し込むための差込口２６１が設けられている。小径部２６０は、周方向に設けられた４つの凹部２６２（係合部）によって先端部分の形状が十文字型になっている。
【０１１７】
被覆部材１５６は、上記実施形態において採用されていたものと同一の部材であり、被覆面１７０にサムターン軸２５１の大径部２５８を挿入可能な挿通孔１６８とネジを挿入するためのネジ挿通孔１７１とを有する。蓋部材２５３は、外径が被覆部材１５６の内径に等しい桶状の部材であり、被覆部材１５６の内側に嵌め込まれる。蓋部材２５３は、閉塞面２６３に軸挿通孔２６５とネジ挿通孔２６６がある。軸挿通孔２６５およびネジ挿通孔２６６は、それぞれ被覆部材１５６の内側に蓋部材２５３を嵌め込んだときに挿通孔１６８およびネジ挿通孔１７１に相当する位置にある。
【０１１８】
挿通孔１６８および軸挿通孔２６５に被覆部材１５６側からサムターン軸２５１を挿入すると、大径部２５８に設けられた差込口２６１は、図２５のように蓋部材２５３側に露出する。サムターン軸２５１の小径部２６０の外周にはバネ２５５が装着されている。
【０１１９】
バネ２５５は円錐コイルバネであり、図２５，２６のように大径側が蓋部材２５３側に向くように装着されている。バネ２５５の大径側の端部２６７には、バネ２５５の軸心方向に折り曲げられた接続部２６８がある。また、バネ２５５の小径側の端部２７０には、バネ２５５の軸方向に向けて折り曲げられた接続部２７１がある。バネ２５５は、接続部２６８がサムターン軸２５１の大径部２５８にある差込口２６１に差し込まれている。さらに、バネ２５５の端部２６７側の巻線は、蓋部材２５３の閉塞面２６３とワッシャ２５４との間に挟まれ、固定されている。バネ２５５の端部２７０は、接続軸２５２の内側に挿入されており、後述する差込口２７８に差し込まれている。
【０１２０】
接続軸２５２は、図２６や図２７のように、大径部２７６と、大径部２７６よりも小径の先端部２７２とから構成されている。大径部２７６は、サムターン軸２５１の小径部２６０を挿入可能な開口２７５を有する。先端部２７２は、扉１３０内に固定された錠箱１１５の開口１２０に挿入される部分であり、周部に４つの凹部２７３を有する。接続軸２５２の内部には、大径部２７６と先端部２７２との境界部分に段部２７７がある。段部２７７には、接続軸２５２の軸方向に延伸した差込口２７８がある。差込口２７８には、バネ２５５の端部２７０にある接続部２７１が挿入されている。サムターン軸２５１は、バネ２５５によって接続軸２５２から離反する方向に付勢されている。
【０１２１】
接続軸２５２の内部には、先端部２７２側に溝２８０（被係合部）が形成されている。溝２８０は、平面視が十文字型であり、サムターン軸２５１の小径部２６０の先端部分に合致する形状になっている。そのため、サムターン軸２５１をバネ２５５の付勢力に反して接続軸２５２の奥まで差し込むと、小径部２６０の先端部分が溝２８０に嵌合する。
【０１２２】
ケース部材２５９は、図２８のように外径が被覆部材１５６と同一であり、両端に開口２８１，２８２を有する筒状の部材である。開口２８１の内径は、接続軸２５２の大径部２７６よりも大きく、開口２８２の内径は、接続軸２５２の先端部２７２の外径と略同一である。サムターン軸２５１および接続軸２５２は、開口２８１側から挿入されており、接続軸２５２の先端部２７２の一部が開口２８２から露出している。
【０１２３】
サムターン２５０は、図２８に示すように、バネ２５５によってサムターン軸２５１が接続軸２５２から離反する方向に付勢されており、小径部２６０の先端が溝２８０から離れている。そのため、サムターン２５０は、摘み部２５６を回動させるだけではトルクが接続軸２５２側に伝わらず、回動させる力が解除されるとバネ２５５の反動によって摘み部２５６が元の姿勢に戻ってしまう。
【０１２４】
一方、サムターン２５０は、バネ２５５の付勢力に反して摘み部２５６を接続軸２５２側に押し込むと、小径部２６０の先端が接続軸２５２の溝２８０に嵌り込む。この状態でサムターン２５０を回動させると、サムターン軸２５１と接続軸２５２とが一体になって回転する。即ち、サムターン２５０は、サムターン軸２５１を接続軸２５２側に押し込んでから回動させない限り、トルクが接続軸２５２に伝達されない。
【０１２５】
上記したように、本実施形態のサムターン２５０は、サムターン軸２５１を接続軸２５２側に押し込んでから回動操作を行わない限り、バネ２５５の反動によって摘み部２５６が元の姿勢に戻るだけで接続軸２５２が回動しない。即ち、サムターン２５０によって施錠や開錠を行う場合、サムターン軸２５１を押し込む動作が必須となる。そのため、サムターン２５０によれば、サムターン回しと称される手口のように扉１３０の外側から工具等を用いて摘み部２５６を回す手口による不正開錠を防止できる。
【図面の簡単な説明】
【０１２６】
【図１】本発明の第１実施形態の錠前を示す斜視図である。
【図２】図１に示す錠前の分解斜視図である。
【図３】図１の錠前を構成する錠箱を示す斜視図である。
【図４】図１に示す錠前のＡ−Ａ断面図である。
【図５】図４の要部拡大図である。
【図６】図１に示す錠前の背面板を示す斜視図である。
【図７】図１に示す錠前を扉に装着した状態を示す斜視図である。
【図８】本発明の第２実施形態の錠前を示す正面図である。
【図９】図８のＡ−Ａ断面図である。
【図１０】図９の要部拡大図である。
【図１１】図８に示す錠前の背板を取り外し、錠箱の一部を破断した状態を示す斜視図である。
【図１２】図８に示す錠前の摘み部材および背板を取り外した状態を示す分解斜視図である。
【図１３】（ａ）は、サムターン軸を示す斜視図であり、同（ｂ）は正面図、同（ｃ）は同（ａ）のＢ方向矢視図、同（ｄ）は同（ａ）のＣ方向矢視図、同（ｅ）は同（ａ）のＡ−Ａ断面図である。
【図１４】（ａ）は摘み部材を示す斜視図であり、同（ｂ）は同（ａ）のＡ方向図、同（ｃ）は同（ａ）のＢ−Ｂ断面図、同（ｄ）は同（ａ）のＣ方向矢視図である。
【図１５】本発明の第３実施形態の錠前を取り付けた扉の分解斜視図である。
【図１６】図１５に示す錠前の錠本体を示す斜視図である。
【図１７】図１５に示す錠前の要部を示す断面図である。
【図１８】図１５に示す錠前に用いられるサムターンを示す斜視図である。
【図１９】図１５に示す錠前に用いられるサムターンの分解斜視図である。
【図２０】本発明の第４実施形態の錠前を取り付けた扉の分解斜視図である。
【図２１】図２０に示す錠前に用いられるサムターンを示す斜視図である。
【図２２】図２０に示す錠前に用いられるサムターンの分解斜視図である。
【図２３】シリンダー錠の要部を示す正面図である。
【図２４】図２１に示すサムターンの動作を示す模式図である。
【図２５】本発明の第５実施形態のサムターンを示す斜視図である。
【図２６】図２５に示すサムターンの分解斜視図である。
【図２７】図２５に示すサムターンにおいて採用されている接続軸を示す斜視図である。
【図２８】図２５に示すサムターンの一部断面図である。
【符号の説明】
【０１２７】
１，７０，１１０，１９０  錠前
２，１１１  錠本体
３，７３  摘み部材
５，７２，１１５  錠箱
６，７７  錠部材（施錠片）
７，７８  動作機構
１６，８１  動力伝達部材
２０，９０  挿通孔
３０，９８ｄ  溝（係合溝）
３１，２００，２５６  摘み部
３２  回転軸
３５  係合部
３６  空転部
３７，１０７  固定具（摺動阻止部材）
４０，１０７ａ  固定ネジ（摺動阻止軸）
７３ｃ  係合部
７３ｄ  係合突起
７３ｅ  係合溝
８８，１５０，１９２，２５１  サムターン軸（回転軸）
９８  接続部
９８ｂ  突起
１０６，１４５，１５３，１９７，１９８，２５５  バネ（付勢手段）
１１２  デッドボルト（施錠片）
１１６，１９１，２５０  サムターン
１５５  連結軸
１６０  歯部（係合部）
１６１  ハンドル部（摘み）
１６７  突起（被係合部）
１７５  空転部
１９３  ガイド部材
１９６，２５２  接続軸
１９９ａ，１１９ｂ  ピン（突部）
２６２  凹部（係合部）
２８０  溝（被係合部）
【図１】
2005146512.tif 000003
【図２】
2005146512.tif 000004
【図３】
2005146512.tif 000005
【図４】
2005146512.tif 000006
【図５】
2005146512.tif 000007
【図６】
2005146512.tif 000008
【図７】
2005146512.tif 000009
【図８】
2005146512.tif 000010
【図９】
2005146512.tif 000011
【図１０】
2005146512.tif 000012
【図１１】
2005146512.tif 000013
【図１２】
2005146512.tif 000014
【図１３】
2005146512.tif 000015
【図１４】
2005146512.tif 000016
【図１５】
2005146512.tif 000017
【図１６】
2005146512.tif 000018
【図１７】
2005146512.tif 000019
【図１８】
2005146512.tif 000020
【図１９】
2005146512.tif 000021
【図２０】
2005146512.tif 000022
【図２１】
2005146512.tif 000023
【図２２】
2005146512.tif 000024
【図２３】
2005146512.tif 000025
【図２４】
2005146512.tif 000026
【図２５】
2005146512.tif 000027
【図２６】
2005146512.tif 000028
【図２７】
2005146512.tif 000029
【図２８】
2005146512.tif 000030